(57)【特許請求の範囲】
【請求項１】
所定の周期で測定される使用電力量を読み込む使用電力量読込手段と、
上記使用電力量読込手段により読み込まれた使用電力量を積算して、上記使用電力量の積算値を算出する積算値算出手段と、
上記使用電力量読込手段により読み込まれた使用電力量と上記積算値算出手段により算出された積算値から、所定時間後の使用電力量の積算値を予測する積算値予測手段と、
所定期間の目標使用電力量を表示するとともに、上記積算値算出手段により算出された積算値の遷移を示すデマンド曲線を表示するデマンド曲線表示手段と、
上記積算値予測手段により積算値の予測が行われた時刻上に、上記積算値予測手段により予測された使用電力量の積算値を表示する予測積算値表示手段と、
上記積算値予測手段により予測された使用電力量の積算値の遷移を示す予測履歴線を表示する予測履歴線表示手段と
を備えたデマンド監視装置。
【請求項２】
上記予測履歴線表示手段は、上記予測履歴線と一緒に、上記目標使用電力量のオフセット範囲を示す線を表示することを特徴とする請求項１記載のデマンド監視装置。
【請求項３】
使用電力量読込手段が、所定の周期で測定される使用電力量を読み込む使用電力量読込処理ステップと、
積算値算出手段が、上記使用電力量読込処理ステップで読み込まれた使用電力量を積算して、上記使用電力量の積算値を算出する積算値算出処理ステップと、
積算値予測手段が、上記使用電力量読込処理ステップで読み込まれた使用電力量と上記積算値算出処理ステップで算出された積算値から、所定時間後の使用電力量の積算値を予測する積算値予測処理ステップと、
デマンド曲線表示手段が、所定期間の目標使用電力量を表示するとともに、上記積算値算出処理ステップで算出された積算値の遷移を示すデマンド曲線を表示するデマンド曲線表示処理ステップと、
予測積算値表示手段が、上記積算値予測処理ステップで積算値の予測が行われた時刻上に、上記積算値予測処理ステップで予測された使用電力量の積算値を表示する予測積算値表示処理ステップと、
予測履歴線表示手段が、上記積算値予測処理ステップにより予測された使用電力量の積算値の遷移を示す予測履歴線を表示する予測履歴線表示処理ステップと
を備えたデマンド監視方法。
【発明の詳細な説明】
【技術分野】
【０００１】
この発明は、所定期間の使用電力量の積算値の遷移を示すデマンド曲線を表示するデマンド監視装置及びデマンド監視方法に関するものである。
【背景技術】
【０００２】
以下の特許文献１に開示されているデマンド監視装置では、所定の周期で測定された使用電力量の積算値を算出し、所定の周期で測定された使用電力量及び使用電力量の積算値に基づいて、所定時間後の使用電力量の積算値を予測する手段を備えている。
また、このデマンド監視装置では、所定期間の使用電力量の積算値の遷移を示すデマンド曲線を表示するとともに、使用電力量の積算値の予測値を表示する手段を備えている。
【０００３】
ここで、図５はデマンド曲線の一例を示す説明図である。
このデマンド監視装置では、図５に示すようなデマンド曲線が表示されるが、使用電力量の積算値の予測値が表示される位置は、現在時刻（使用電力量の積算値の予測が行われた時刻）上ではなく、現在時刻より所定時間後の時刻（所定期間の終了時点）上である。
【先行技術文献】
【特許文献】
【０００４】
【特許文献１】特開平８−６３１３２号公報（段落番号［０００６］、図１，２）
【発明の概要】
【発明が解決しようとする課題】
【０００５】
従来のデマンド監視装置は以上のように構成されているので、使用電力量の積算値の予測値が表示されるが、使用電力量の積算値の予測値が表示される位置は、現在時刻（使用電力量の積算値の予測が行われた時刻）上ではなく、現在時刻より所定時間後の時刻上である。このため、オペレータが表示されている予測値を見ても、どの時点で予測された値であるのかを一見して把握することができないなどの課題があった。
【０００６】
この発明は上記のような課題を解決するためになされたもので、オペレータが一見して、どの時点で予測された積算値の予測値であるのかを把握することができるデマンド監視装置及びデマンド監視方法を得ることを目的とする。
【課題を解決するための手段】
【０００７】
この発明に係るデマンド監視装置は、所定の周期で測定される使用電力量を読み込む使用電力量読込手段と、使用電力量読込手段により読み込まれた使用電力量を積算して、使用電力量の積算値を算出する積算値算出手段と、使用電力量読込手段により読み込まれた使用電力量と積算値算出手段により算出された積算値から、所定時間後の使用電力量の積算値を予測する積算値予測手段と、所定期間の目標使用電力量を表示するとともに、積算値算出手段により算出された積算値の遷移を示すデマンド曲線を表示するデマンド曲線表示手段と、積算値予測手段により積算値の予測が行われた時刻上に、積算値予測手段により予測された使用電力量の積算値を表示する予測積算値表示手段と、積算値予測手段により予測された使用電力量の積算値の遷移を示す予測履歴線を表示する予測履歴線表示手段とを備えるようにしたものである。
【０００９】
この発明に係るデマンド監視装置は、予測履歴線表示手段が、予測履歴線と一緒に目標使用電力量のオフセット範囲を示す線を表示するようにしたものである。
【００１０】
この発明に係るデマンド監視方法は、使用電力量読込手段が、所定の周期で測定される使用電力量を読み込む使用電力量読込処理ステップと、積算値算出手段が、使用電力量読込処理ステップで読み込まれた使用電力量を積算して、使用電力量の積算値を算出する積算値算出処理ステップと、積算値予測手段が、使用電力量読込処理ステップで読み込まれた使用電力量と積算値算出処理ステップで算出された積算値から、所定時間後の使用電力量の積算値を予測する積算値予測処理ステップと、デマンド曲線表示手段が、所定期間の目標使用電力量を表示するとともに、積算値算出処理ステップで算出された積算値の遷移を示すデマンド曲線を表示するデマンド曲線表示処理ステップと、予測積算値表示手段が、積算値予測処理ステップで積算値の予測が行われた時刻上に、積算値予測処理ステップで予測された使用電力量の積算値を表示する予測積算値表示処理ステップと、予測履歴線表示手段が、積算値予測処理ステップにより予測された使用電力量の積算値の遷移を示す予測履歴線を表示する予測履歴線表示処理ステップとを備えるようにしたものである。
【発明の効果】
【００１１】
この発明によれば、積算値の予測が行われた時刻上に、予測された使用電力量の積算値を表示するように構成したので、オペレータが一見して、どの時点で予測された積算値の予測値であるのかを把握することができる効果がある。また、予測された使用電力量の積算値の遷移を示す予測履歴線を表示するように構成したので、使用電力量の積算値の予測状況を容易に把握することができる効果がある。
【００１３】
この発明によれば、予測履歴線と一緒に目標使用電力量のオフセット範囲を示す線を表示するように構成したので、使用電力量の積算値が目標使用電力量を超える可能性があるか否かを容易に把握することができる効果がある。
【図面の簡単な説明】
【００１４】
【図１】この発明の実施の形態１によるデマンド監視装置を示す構成図である。
【図２】この発明の実施の形態１によるデマンド監視装置の処理内容（デマンド監視方法）を示すフローチャートである。
【図３】この発明の実施の形態１によるデマンド監視装置の表示内容を示す説明図である。
【図４】予測履歴線と一緒に表示される目標使用電力量のオフセット範囲を示すオフセット範囲の上限線・下限線を示す説明図である。
【図５】デマンド曲線の一例を示す説明図である。
【発明を実施するための形態】
【００１５】
実施の形態１．
図１はこの発明の実施の形態１によるデマンド監視装置を示す構成図である。
図１において、使用電力量読込手段１は例えば電力量計に対するインタフェース機器（例えば、ネットワークＩ／Ｆ、ＵＳＢポートなど）や、ＲＡＭなどの記録媒体から構成されており、例えば電力量計により所定の周期で測定される使用電力量Ｗｔを読み込み、所定期間（例えば、３０分）、その使用電力量Ｗｔを記憶する処理を実施する。
積算値算出手段２は例えば積算計などから構成されており、使用電力量読込手段１により読み込まれた使用電力量Ｗｔを積算して、その使用電力量の積算値ΣＷを算出する処理を実施する。
【００１６】
積算値予測手段３は例えばＣＰＵを実装している半導体集積回路、あるいは、ワンチップマイコンなどから構成されており、使用電力量読込手段１により読み込まれた使用電力量Ｗｔと積算値算出手段２により算出された積算値ΣＷから、所定時間後（所定期間の終了時点）の使用電力量の積算値ΣＷを予測し、その予測値ΣＷＰを出力する処理を実施する。
デマンド曲線表示手段４は例えばＧＰＵ（Ｇｒａｐｈｉｃｓ  Ｐｒｏｃｅｓｓｉｎｇ  Ｕｎｉｔ）などから構成されており、所定期間の目標使用電力量を図示せぬディスプレイに表示するとともに、積算値算出手段２により算出された積算値ΣＷの遷移を示すデマンド曲線をディスプレイに表示する処理を実施する。
【００１７】
予測積算値表示手段５は例えばＧＰＵなどから構成されており、積算値予測手段３により積算値の予測が行われた時刻（現在時刻）上に、積算値予測手段３から出力された予測値ΣＷＰを表示する処理を実施する。
予測履歴線表示手段６は例えばＧＰＵなどから構成されており、積算値予測手段３から出力された予測値ΣＷＰの遷移を示す予測履歴線をディスプレイに表示する処理を実施する。
警報発生手段７は例えばＣＰＵを実装している半導体集積回路、あるいは、ワンチップマイコンなどから構成されており、積算値予測手段３から出力された予測値ΣＷＰが目標使用電力量より高くなると、警報をディスプレイに表示、あるいは、警報を図示せぬスピーカから出力する処理を実施する。
【００１８】
図１の例では、デマンド監視装置の構成要素である使用電力量読込手段１、積算値算出手段２、積算値予測手段３、デマンド曲線表示手段４、予測積算値表示手段５、予測履歴線表示手段６及び警報発生手段７のそれぞれが専用のハードウェアで構成されているものを想定しているが、デマンド監視装置の全部又は一部がコンピュータで構成されていてもよい。
例えば、デマンド監視装置の全部がコンピュータで構成されている場合、使用電力量読込手段１、積算値算出手段２、積算値予測手段３、デマンド曲線表示手段４、予測積算値表示手段５、予測履歴線表示手段６及び警報発生手段７の処理内容を記述しているプログラムをコンピュータのメモリに格納し、当該コンピュータのＣＰＵが当該メモリに格納されているプログラムを実行するようにすればよい。
図２はこの発明の実施の形態１によるデマンド監視装置の処理内容（デマンド監視方法）を示すフローチャートである。
【００１９】
次に動作について説明する。
まず、使用電力量読込手段１は、例えば、電力量計により所定の周期（例えば、１分）で測定される使用電力量Ｗｔを読み込み、所定期間（例えば、３０分）、その使用電力量Ｗｔを記憶する（図２のステップＳＴ１）。
ここで、ｔは使用電力量の測定時刻を示しており、Ｗｔは時刻ｔにおける使用電力量である。
【００２０】
積算値算出手段２は、使用電力量読込手段１が使用電力量Ｗｔを読み込んで記憶する毎に、所定期間の開始時点ｔ０から現在時刻までの使用電力量Ｗｔを積算して、その使用電力量の積算値ΣＷを算出する（ステップＳＴ２）。
例えば、所定期間の開始時点ｔ０から１８分を経過していれば、所定期間の開始時点ｔ０から１８分間の使用電力量Ｗｔを積算する。
【００２１】
積算値予測手段３は、積算値算出手段２が使用電力量の積算値ΣＷを算出すると、使用電力量読込手段１により読み込まれた使用電力量Ｗｔと積算値算出手段２により算出された積算値ΣＷから、所定時間後（所定期間の終了時点）の使用電力量の積算値ΣＷを予測し、その予測値ΣＷＰを出力する（ステップＳＴ３）。
積算値予測手段３による積算値ΣＷの予測方法は、特に限定されるものではないが、例えば、以下の方法で、使用電力量の積算値ΣＷを予測することができる。
【００２２】
まず、積算値予測手段３は、電力量読込手段１に記憶されている使用電力量Ｗｔの中から、直近のＮ個の使用電力量Ｗｔ（例えば、Ｎ＝５）を取得し、下記の式（１）に示すように、直近のＮ個の使用電力量Ｗｔの平均値Ｗａｖｅを算出する。
例えば、１分毎に使用電力量Ｗｔが測定されており、所定期間の開始時点ｔ０から１８分を経過していれば、Ｎ＝５の場合、所定期間の開始時点ｔ０から１８分経過後の使用電力量Ｗｔ、１７分経過後の使用電力量Ｗｔ、１６分経過後の使用電力量Ｗｔ、１５分経過後の使用電力量Ｗｔ、１４分経過後の使用電力量Ｗｔの平均値Ｗａｖｅを算出する。
Ｗａｖｅ＝Ｎ個の使用電力量Ｗｔの総和／Ｎ              （１）
【００２３】
次に、積算値予測手段３は、現在時刻から所定期間の終了時点までの残り時間Ｔｒにおけるサンプリング回数Ｍ（例えば、１分毎に使用電力量Ｗｔが測定されており、残り時間Ｔｒが１２分であれば、Ｍ＝１２である）を求め、下記の式（２）に示すように、サンプリング回数Ｍと、使用電力量Ｗｔの平均値Ｗａｖｅと、積算値ΣＷとから、予測値ΣＷＰを算出する。
ΣＷＰ＝（Ｗａｖｅ×Ｍ）＋ΣＷ                        （２）
【００２４】
デマンド曲線表示手段４は、積算値算出手段２が使用電力量の積算値ΣＷを算出すると、図３に示すように、所定期間の目標使用電力量をディスプレイに表示するとともに、その積算値ΣＷの遷移を示すデマンド曲線をディスプレイに表示する（ステップＳＴ４）。
なお、目標使用電力量は、例えば、大口の電力需要家と電力会社の間で取り決められるものであり、所定期間の使用電力量の積算値ΣＷが目標使用電力量を超過すると、違反が認定される。
【００２５】
予測積算値表示手段５は、積算値予測手段３が予測値ΣＷＰを算出すると、図３に示すように、積算値予測手段３により積算値の予測が行われた時刻（現在時刻）上に、その予測値ΣＷＰを表示する（ステップＳＴ５）。
なお、従来例では、上述したように、所定期間の終了時点上に予測値ΣＷＰが表示されており、オペレータが表示されている予測値ΣＷＰを見ても、どの時点で予測された値であるのかを一見して把握することができないが、この実施の形態１では、積算値の予測が行われた時刻（現在時刻）上に、その予測値ΣＷＰが表示されているので、オペレータが一見して、現在時刻で予測された予測値であることを把握することができる。
【００２６】
予測履歴線表示手段６は、積算値予測手段３が予測値ΣＷＰを算出する毎に、その予測値ΣＷＰの遷移を示す予測履歴線を更新し、図３に示すように、その予測履歴線をディスプレイに表示する（ステップＳＴ６）。
【００２７】
警報発生手段７は、積算値予測手段３が予測値ΣＷＰを算出すると、その予測値ΣＷＰと目標使用電力量を比較し（ステップＳＴ７）、その予測値ΣＷＰが目標使用電力量より高くなると、その旨を示す警報をディスプレイに表示する（ステップＳＴ８）。
あるいは、予測値ΣＷＰが目標使用電力量より高くなっている旨を示す警報をスピーカから出力する。
【００２８】
以上で明らかなように、この実施の形態１によれば、使用電力量読込手段１により読み込まれた使用電力量Ｗｔと積算値算出手段２により算出された積算値ΣＷから、所定時間後の使用電力量の積算値を予測する積算値予測手段３を設け、予測積算値表示手段５が、積算値予測手段３により積算値の予測が行われた時刻（現在時刻）上に、積算値予測手段３から出力された予測値ΣＷＰを表示するように構成したので、オペレータが一見して、どの時点で予測された積算値の予測値ΣＷＰであるのかを把握することができる効果を奏する。
【００２９】
また、この実施の形態１によれば、予測履歴線表示手段６が、積算値予測手段３から出力された予測値ΣＷＰの遷移を示す予測履歴線をディスプレイに表示するように構成したので、オペレータが使用電力量の積算値の予測状況を容易に把握することができる効果を奏する。
【００３０】
実施の形態２．
上記実施の形態１では、予測履歴線表示手段６が、積算値予測手段３が予測値ΣＷＰを算出する毎に、その予測値ΣＷＰの遷移を示す予測履歴線を更新して、その予測履歴線をディスプレイに表示するものを示したが、図４に示すように、予測履歴線表示手段６が、その予測履歴線と一緒に目標使用電力量のオフセット範囲を示すオフセット範囲の上限線・下限線をディスプレイに表示するようにしてもよい。
【００３１】
このように、オフセット範囲の上限線・下限線が表示されている場合、予測値ΣＷＰが目標使用電力量のオフセット範囲内に収まっているか否かを確認することができるため、予測値ΣＷＰと目標使用電力量間の高低の関係だけでなく、予測値ΣＷＰと目標使用電力量の差が、どの程度であるかを一見して把握することができる。
このため、使用電力量の積算値ΣＷが目標使用電力量を超える可能性があるか否かを的確に把握して、使用電力量を適正に調整することができるようになる。
【００３２】
また、本願発明はその発明の範囲内において、実施の形態の任意の構成要素の変形、もしくは実施の形態の任意の構成要素の省略が可能である。
【符号の説明】
【００３３】
１  使用電力量読込手段
２  積算値算出手段
３  積算値予測手段
４  デマンド曲線表示手段
５  予測積算値表示手段
６  予測履歴線表示手段
７  警報発生手段
【図１】
0005975724.tif 000002
【図２】
0005975724.tif 000003
【図３】
0005975724.tif 000004
【図４】
0005975724.tif 000005
【図５】
0005975724.tif 000006